(57)【要約】      （修正有）【課題】装着感が良好なマスク用パッドを提供する。【解決手段】マスク２０の内側に装着して使用されるマスク用パッド１０である。マスク用パッドは、可撓性及び弾力性を有するメッシュ生地からなる。【選択図】図１
0003227226.tif 000002
【実用新案登録請求の範囲】
【請求項１】
マスクの内側において使用者の顔面と前記マスクとの間に配置して使用されるマスク用パッドであって、可撓性及び弾力性を有するメッシュ生地からなることを特徴とするマスク用パッド。
【請求項２】
柔軟性を有し、メッシュ寸法又はメッシュ形状が相違する少なくとも二層のメッシュ層を有する複層メッシュ生地からなることを特徴とする請求項１記載のマスク用パッド。
【請求項３】
前記使用者の前記顔面と前記マスクとの間に係止手段を介することなく挟まれて配置されることを特徴とする請求項１記載のマスク用パッド。
【請求項４】
自然状態における厚さが略３ｍｍであることを特徴とする請求項１に記載のマスク用パッド。
【請求項５】
自然状態における形状が平面楕円形であることを特徴とする請求項３に記載のマスク用パッド。
【請求項６】
抗菌加工処理が施されていることを特徴とする請求項１に記載のマスク用パッド。
【考案の詳細な説明】
【技術分野】
【０００１】
本考案は、マスクの内側に装着して使用されるマスク用パッドに関する。
【背景技術】
【０００２】
従来のマスク用パッドとして、口と鼻を囲むリング状のマスク用パッドが知られている（特許文献１）。この種のマスク用パッドによれば、直にマスクをするよりも鼻及び口を圧迫しないため息苦しさを軽減しうる。
【先行技術文献】
【特許文献】
【０００３】
【特許文献１】実用新案登録第３０９８８１１号公報
【考案の概要】
【考案が解決しようとする課題】
【０００４】
しかし、口と鼻を含む領域の大きさはユーザによって様々に異なるため、上述した従来のマスク用パッドは、全てのユーザにジャストフィットしうるものではなく、装着感が必ずしも良いとはいえなかった。
【０００５】
本考案は、装着感が良好なマスク用パッドを提供する。
【課題を解決するための手段】
【０００６】
上記課題を解決するために、請求項１のマスク用パッドは、マスクの内側において使用者の顔面と前記マスクとの間に配置して使用されるマスク用パッドであって、可撓性及び弾力性を有するメッシュ生地からなることを特徴とする。
【０００７】
上記のように構成されたマスク用パッドをマスクの内側において、使用者の顔面とマスクとの間に配置して装着することにより、マスクと顔との間にメッシュの内部空間からなる通気性の良好な隙間が形成されるので、直にマスクをするよりも息苦しさが軽減され良好な装着感が得られる。
また、可撓性及び弾力性を有することから、顔面の形状に良好にフィットすることにより快適に使用することができる。
【０００８】
請求項２記載のマスク用パッドは、柔軟性を有し、メッシュ寸法又はメッシュ形状が相違する少なくとも二層のメッシュ層を有する複層メッシュ生地からなることを特徴とする。
【０００９】
請求項３記載のマスク用パッドは、係止手段を介することなく前記使用者の顔面と前記マスクとの間に挟まれて配置されることを特徴とする。
【００１０】
請求項４記載のマスク用パッドは、請求項１のマスク用パッドの自然状態における厚さが略３ｍｍであることを特徴とする。マスク用パッドの自然状態における厚さが略３ｍｍであることにより、マスクと顔との間に装着感を高める上で十分な大きさの隙間を形成できる。
【００１１】
請求項記載５のマスク用パッドは、請求項１のマスク用パッドの自然状態における形状が平面楕円形であることを特徴とする。
【００１２】
請求項６記載のマスク用パッドは、請求項１記載のマスク用パッドに抗菌加工処理が施されていることを特徴とする。抗菌加工が施されたマスク用パッドをマスクの内側に装着して使用することにより、マスク内を清潔に保ち、臭いの発生も防止できる。
【考案の効果】
【００１３】
請求項１及び２に係る本考案によれば、装着感が良好なマスク用パッドを提供することができる。即ち、本考案に係るマスク用パッドは、マスク本体と使用者の顔面との間に配置されることにより、顔面とマスクとの間に空隙が形成されることから、使用者は呼吸がしやすく、長時間マスクを使用していても、また、何らかの作業を行うために身体を動かしても、使用者が呼吸が苦しくなることはない。また、顔面とマスクとの間に空隙が形成されることから、口を動かしやすく会話がしやすい。従って、マスクを着用した状態での他人との会話も円滑に行うことができる。
【００１４】
また、従来は、眼鏡を着用している使用者がマスクを着用した場合、息で眼鏡が曇るという不快さがあったが、本考案に係るマスク用パッドを装着してマスクを着用した場合には、マスク本体と顔との間にマスク用パッドにより空隙が形成されることから、息が適度に外部へ放出され、眼鏡が曇る、という事態を有効に防止することが可能となる。
【００１５】
さらに、従来、使い捨てマスクを顔に装着して使用した場合には、使用した後に当該マスクを廃棄して新たなマスクを装着していたが、本考案に係るマスク用パッドを装着して使い捨てマスクを使用した場合には、マスク用パッドを使用後に洗浄乾燥させることにより、翌日には、直接に顔に当接する部位には洗浄後のマスク用パッドを配置することにより使い捨てマスクを継続して翌日にもそのまま使用することができ、マスクが入手困難な状況が出来しても本考案に係るマスク用パッドを使用することによりマスクを節約して使用することもできる。
【００１６】
請求項３記載の考案にあっては、面ファスナー、接着テープ等の係止手段を介することなく前記使用者の顔面と前記マスクとの間に挟まれて配置されることから、使用時には簡単かつ容易に装着することができる。
【００１７】
請求項４記載の考案にあっては、マスク用パッドの自然状態における厚さが略３ｍｍであることから、パッドの厚さが大きすぎず、適切な装着感を保持しつつ、充分なフィルター作用を果たすことができる。
【００１８】
請求項５記載の考案にあっては、マスク用パッドの自然状態における形状が平面楕円形であることから、使用者の口の開閉形状に適合するように形成されており、使用時には口の開閉状態の如何にかかわらず、充分かつ確実に鼻及び口を被覆することができる。
【００１９】
請求項６記載の考案にあっては、マスク用パッドが抗菌性を有することから、外部からのウィルス等の菌の体内への侵入を一定程度ブロックすることができるため、マスクと併用することにより、フィルター作用をより向上させることが可能となる。また、抗菌効果により、マスク内でくしゃみなどをした後に感じる不快な匂いが無くなると共に、外部からの刺激臭を軽減することが可能となる。
【図面の簡単な説明】
【００２０】
【図１】一実施形態のマスク用パッドをマスクに装着した状態を示す斜視図である。
【図２】図1に示すマスク用パッドの一方の面を上向きにした平面図である。
【図３】図1に示すマスク用パッドの他方の面を上向きにした平面図である。
【図４】図1に示すマスク用パッドの断面図である。
【考案を実施するための形態】
【００２１】
以下、添付図面を参照して、一実施形態のマスク用パッドについて説明する。
【００２２】
［構成］
添付図面に示すマスク用パッド１０は、図１に例示するように、マスク２０の内側において、使用者の顔面とマスク２０との間に、面ファスナー、接着テープ等の他の係止手段を介することなく、顔面とマスク２０との間に挟まれる形で装着して使用される。
【００２３】
図２及び図３に示すように、マスク用パッド１０の自然状態における形状は平面略楕円形であって、全体として黒色に着色されている。マスク用パッド１０の自然状態における寸法は、短径１００ｍｍ、長径１２０ｍｍ、厚さ寸法は略３ｍｍである。マスク用パッド１０は、可撓性、弾力性及び柔軟性を有する。
【００２４】
図４に示すように、マスク用パッド１０は、二層のメッシュ層１１、１２からなる所謂ダブルメッシュ生地からなる。一方のメッシュ層１１と他方のメッシュ層１２は、メッシュ寸法及びメッシュ形状が相違している。
【００２５】
本実施の形態にあっては、マスク用パッド１０の生地はポリエステル生地からなり、抗菌防臭加工処理が施されている。マスク用パッド１０の黄色ぶどう球菌及び肺炎かん菌に対する抗菌性の試験結果を表１に示す。
この抗菌防臭加工処理に関しては、本件考案に係るマスク用パッド１０に使用される生地が完成した後に抗菌加工処理が施されている。この点は、従来のこの種の生地への抗菌加工方法としては、生地になる前の糸の段階で抗菌防臭加工を施す必要があったが、本実施の形態に係るマスク用パッド１０はこのような従来の製法とは異なる。
【００２６】
【表１】
0003227226.tif 000003
【００２７】
この試験結果から、マスク用パッド１０は約５０回洗濯しても抗菌性を有することが判る。
【００２８】
［作用効果］
上記のように構成されたマスク用パッド１０をマスク２０の内側に装着することにより、マスク２０とユーザの顔との間にダブルメッシュ生地内に形成される空間からなる通気性の良好な隙間が形成されるので、直にマスク２０をするよりも息苦しさが軽減され良好な装着感が得られる。
【００２９】
マスク用パッド１０の自然状態における厚さが略３ｍｍであることにより、マスク２０とユーザの顔との間に装着感を高める上で十分な大きさの隙間を形成できる。マスク用パッド１０の自然状態における厚さが略３ｍｍに満たない場合、具体的には２ｍｍ未満である場合、当該隙間の大きさが不十分になり息苦しさが増すことになる。また、略３ｍｍよりも大きい場合、具体的には４ｍｍ以上である場合、ユーザの顔に対するマスク用パッド１０のフィット感が低下し、着け心地の良さが損なわれる。
【００３０】
また、マスク用パッド１０の自然状態における形状が平面楕円形であることにより、また、上記の寸法も相まって、主たる被覆部である鼻及び口を、口の開閉の如何にかかわらず充分確実に被覆することができる。
【００３１】
また、マスク用パッド１０の生地に抗菌加工が施されていることにより、マスク２０内を清潔に保ち、臭いの発生も防止できる。また、抗菌効果により、マスク内でくしゃみなどをした後に感じる不快な匂いが無くなると共に、外部からの刺激臭を軽減することが可能となる。
【００３２】
なお、本考案は上記実施形態に限定されない。たとえば上記実施形態ではマスク用パッド１０の自然状態における形状は略楕円形であるが、略矩形等であってもよい。
また、上記実施形態では、マスク用パッド１０が所謂ダブルメッシュ生地からなる場合を例にとり説明したが、三層或いは四層以上のメッシュ層からなる複層メッシュ生地であってもよい。また一方、複層メッシュ生地を使用することなく単層のメッシュ生地を用いてもよい。
【００３３】
また、上記実施形態に示した寸法の値は例示であり、ここに示した以外の寸法の値を採用してもよい。さらに、本実施の形態にあっては、ポリエステル生地により形成されている場合を例に説明したが、上記実施の形態に限定されず、ナイロン生地により形成されてもよく、生地素材に限定はされない。さらに、本実施の形態にあっては、マスク用パッド１０が黒色に着色されている場合を例に説明したが、茶色に着色されていてもよく、着色には限定されない。
【符号の説明】
【００３４】
１０  マスク用パッド
１１  一方のメッシュ層
１２  他方のメッシュ層
２０  マスク
【図１】
0003227226.tif 000004
【図２】
0003227226.tif 000005
【図３】
0003227226.tif 000006
【図４】
0003227226.tif 000007